(57)【特許請求の範囲】
【請求項１】
シートクッション側およびシートバック側にそれぞれ取付けられる一対の連結アームと、これら両連結アームを支持して支持軸線回りを中心に相対回転可能とするヒンジ軸と、前記両連結アームの一方の連結アームにスライド可能に組付けられて他方の連結アームに設けたラチェットに噛合可能なスライドポールを備え、前記スライドポールをスライド動作させて同スライドポールの前記ラチェットに対する噛合状態および非噛合状態を選択的に形成し、前記噛合状態により前記両連結アームの相対回転を規制して前記シートバックを前記シートクッションに対してロック状態とし、かつ前記非噛合状態により前記両連結アームの相対回転を許容して前記シートバックの前記シートクッションに対するロック状態を解除するリクライニング装置において、前記ヒンジ軸の回転動作を前記スライドポールのスライド動作に変換して同スライドポールに伝達する動作伝達部材と、前記スライドポールの背部にて支持軸線方向に互いに偏倚して設けた円弧状の被受承部と逃げ部間を進退する円弧状の受承部を有し前記ヒンジ軸の回転動作に応じて支持軸線方向に移動して前記スライドポールの背部を選択的に受承する受承部材を備え、前記スライドポールと前記ラチェットが噛合状態にあるとき、前記受承部材が前記スライドポールを受承するように構成したことを特徴とするリクライニング装置。
【請求項２】
請求項１に記載のリクライニング装置において、前記動作伝達部材として前記スライドポールに設けた係合ピンが挿通するカム孔を備えた動作伝達部材を採用して、同動作伝達部材を、前記ヒンジ軸に一体回転可能に組付けるとともに、前記カム孔を前記係合ピンに係合して前記スライドポールに連結し、かつ、前記受承部材として前記ヒンジ軸に螺合する筒部と同筒部の外周に突設された円弧状の受承部を備えた受承部材を採用して、同受承部材を前記ヒンジ軸上にて支持軸線方向に移動可能に組付けたことを特徴とするリクライニング装置。
【請求項３】
請求項１または２に記載のリクライニング装置において、前記スライドポールは前記一方の連結アームに所定間隔を保持して直列的に２つ配置されて、これら両スライドポールの間に前記受承部材が配設されており、前記受承部材は前記各スライドポールの背部側に支持軸線方向に互いに偏倚して設けた円弧状の受承部および逃げ部をぞれぞれ備え、かつ、前記動作伝達部材は前記各スライドポールの係合ピンに係合するカム孔をそれぞれ備えていることを特徴とするリクライニング装置。
【発明の詳細な説明】
【０００１】
【発明の属する技術分野】
本発明はリクライニング装置に関する。
【０００２】
【従来の技術】
リクライニング装置の一形式として、シートクッション側およびシートバック側にそれぞれ取付けられる一対の連結アームと、これら両連結アームを支持して支持軸線回りを中心に相対回転可能とするヒンジ軸と、前記両連結アームの一方の連結アームにスライド可能に組付けられて他方の連結アームに設けたラチェットに噛合可能なスライドポールを備え、同スライドポールをスライド動作させて同スライドポールの前記ラチェットに対する噛合状態および非噛合状態を選択的に形成し、前記噛合状態により前記両連結アームの相対回転を規制する形式のリクライニング装置がある。
【０００３】
かかる形式のリクライニング装置においては、前記噛合状態を構成することにより前記両連結アームの相対回転を規制して、前記シートバックを前記シートクッションに対してロック状態とし、かつ前記非噛合状態を構成することにより前記両連結アームの相対回転を許容して、前記シートバックの前記シートクッションに対するロック状態を解除するものであり、その一例であるリクライニング装置が、例えば、特開平８−５２０４０号公報に示されている。
【０００４】
しかして、上記した公報に示されているリクライニング装置においては、スライドポールをスライド動作させるために、作動カムが採用されている。この作動カムは、ヒンジ軸上にこれと一体回転可能に組付けられていて、ヒンジ軸を回転操作することにより作動カムを回動させ、作動カムをその一方への回動動作によりスライドポールの背部の１箇所に当接させて押圧し、同スライドポールをラチェット側へスライドさせて同ラチェットに噛合させ、かつ、作動カムのスライドポールに対する押圧状態を保持することにより、スライドポールとラチェットの噛合状態を保持するようになっている。
【０００５】
なお、スライドポールとラチェットの噛合状態を解除するには、作動カムの他方向への回動動作により作動カムをスライドポールの一部にて掛止めして、スライドポールをラチェット側から引き戻して後退させることによりなされる。
【０００６】
【発明が解決しようとする課題】
このように、上記した公報に示されているリクライニング装置においては、作動カムのスライドポールに対する１箇所での押圧状態を保持することにより、スライドポールとラチェットの噛合状態を保持するように構成されている。このため、この状態のリクライニング装置に負荷が作用すると、各連結アームおよびスライドポール間のガタによりスライドポールがわずかに回動動作し、スライドポールとラチェットの噛合状態が弱くなるという不具合がある。
【０００７】
従って、本発明の目的は、この種形式のリクライニング装置において、負荷の作用状態でのスライドポールの回転を防止してスライドポールとラチェットの噛合状態を強化し、延いてはリクライニング装置の小型化を図ることにある。
【０００８】
【課題を解決するための手段】
本発明はリクライニング装置に関し、特に、シートクッション側およびシートバック側にそれぞれ取付けられる一対の連結アームと、これら両連結アームを支持して支持軸線回りを中心に相対回転可能とするヒンジ軸と、前記両連結アームの一方の連結アームにスライド可能に組付けられて他方の連結アームに設けたラチェットに噛合可能なスライドポールを備え、同スライドポールをスライド動作させて同スライドポールの前記ラチェットに対する噛合状態および非噛合状態を選択的に形成し、前記噛合状態により前記両連結アームの相対回転を規制して前記シートバックを前記シートクッションに対してロック状態とし、かつ前記非噛合状態により前記両連結アームの相対回転を許容して前記シートバックの前記シートクッションに対するロック状態を解除する形式のリクライニング装置に関する。
【０００９】
しかして、本発明は上記した形式のリクライニング装置において、前記ヒンジ軸の回転動作を前記スライドポールのスライド動作に変換して同スライドポールに伝達する動作伝達部材と、前記スライドポールの背部にて支持軸線方向に互いに偏倚して設けた円弧状の被受承部と逃げ部間を進退する円弧状の受承部を有し前記ヒンジ軸の回転動作に応じて支持軸線方向に移動して前記スライドポールの背部を選択的に受承する受承部材を備え、前記スライドポールと前記ラチェットが噛合状態にあるとき、前記受承部材が前記スライドポールを受承するように構成したことを特徴とするものである。
【００１０】
本発明に係るリクライニング装置においては、前記動作伝達部材として前記スライドポールに設けた係合ピンが挿通するカム孔を備えた動作伝達部材を採用して、前記動作伝達部材を、前記ヒンジ軸に一体回転可能に組付けるとともに、前記カム孔を前記係合ピンに係合して前記スライドポールに連結し、かつ、前記受承部材として前記ヒンジ軸に螺合する筒部と同筒部の外周に突設された円弧状の受承部を備えた受承部材を採用して、同受承部材を前記ヒンジ軸上にて支持軸線方向に移動可能に組付けた構成とすることができる。
【００１１】
また、本発明に係るリクライニング装置においては、前記スライドポールを前記一方の連結アームに所定間隔を保持して直列的に２つ配置するとともに、これら両スライドポールの間に前記受承部材を配設し、同受承部材を前記各スライドポールの背部側に支持軸線方向に互いに偏倚して設けた円弧状の受承部および逃げ部をぞれぞれ備えた構成とし、かつ、前記動作伝達部材を前記各スライドポールの係合ピンに係合するカム孔をそれぞれ備えた構成とすることができる。
【００１２】
【発明の作用・効果】
本発明に係るリクライニング装置においては、スライドポールがスライド動作してラチェットに対して噛合し、かつ、受承部材がスライドポールを背部側にて受承している状態では、スライドポールとラチェットとの噛合状態が保持されている。この状態では、両連結アームの相対回転は規制されていて、シートバックはシートクッションに対してロック状態にある。
【００１３】
この状態にあるリクライニング装置において、ヒンジ軸を回転操作すると、ヒンジ軸の回転動作に応じて受承部材が支持軸線の一方向に移動動作してスライドポールに対する受承状態を解除し、同時に、動作伝達部材が動作してスライドポールをラチェットから離間する方向へスライド動作させる。この結果、スライドポールとラチェットとは非噛合状態になるとともに、この非噛合状態はヒンジ軸が回転操作状態にある間保持される。この間は、両連結アームの相対回転が許容されてシートバックのシートクッションに対するロック状態が解除され、シートバックを前後方向へ回動してその傾斜角度を調整することができる。
【００１４】
なお、ヒンジ軸の回転操作状態を解除して、動作伝達部材を作動復帰させるとともに受承部材を支持軸線の他方向に移動復帰させると、スライドポールは、動作伝達部材の作動によりラチェット側へスライド動作してラチェットに噛合し、かつ、受承部材の動作により背面側にて受承されてラチェットとの噛合状態を保持する。
【００１５】
このように、本発明に係るリクライニング装置においては、スライドポールはその円弧状の背部にて受承部材の円弧状の受承部に受承されてラチェットとの噛合状態を保持される。このため、この保持状態によれば、たとえリクライニング装置に負荷が作用しても、各連結アームおよびスライドポール間のガタに起因するスライドポールの回動動作は解消され、１箇所での押圧保持状態に比較して、スライドポールとラチェットとの噛合強度が強化され、延いては装置の小型化を図ることができる。
【００１６】
本発明に係るリクライニング装置において、スライドポールを一方の連結アームに所定間隔を保持して直列的に２つ配置して各スライドポールを動作伝達部材に連結し、かつ、これら両スライドポールの間に受承部材を配置して各スライドポールを受承部材にて受承するように構成すれば、両スライドポールを１つの動作伝達部材、および１つの受承部材によりラチェットに噛合させ、かつ、この噛合状態を保持し得て、両連結アームを強固なロック状態とすることができる。
【００１７】
【発明の実施の形態】
以下、本発明を図面に基づてい説明すると、図１〜図３には、本発明に係るリクライニング装置の一例が示されている。当該リクライニング装置は、第１連結アーム１１、第２連結アーム１２、一対のスライドポール１３、受承プレート１４、動作伝達プレート１５、ヒンジ軸１６、コイルバネ１７、および操作レバー１８にて構成されている。
【００１８】
第１連結アーム１１および第２連結アーム１２は、互いに重合された状態で両スライドポール１３、受承プレート１４、および動作伝達プレート１５を収容し、ヒンジ軸１６上に回転可能に支持された状態にあり、第１連結アーム１１は図示しないシートクッション側の側部後方に固定され、かつ、第２連結アーム１２は図示しないシートバック側の側部下方に固定される。
【００１９】
これにより、リクライニング装置はシートバックをシートクッションの後端部にて連結し、両連結アーム１１，１２がロック状態にあるときには、シートバックをシートクッションの後端部にて起立状態に支持し、両連結アーム１１，１２のロック状態を解除することによりシートバックの前後方向の回動を許容する。
【００２０】
第１連結アーム１１は、図１〜図６に示すように、両スライドポール１３、および受承プレート１４を収容する収容部１１ａと、シートクッション側の取付部１１ｂを備えているもので、収容部１１ａには支持孔１１ｃを中心にして、縦方向に延びる第１溝部１１ｄと、第１溝部１１ｄに直交して横方向に延びる第２溝部１１ｅが形成されている。両溝部１１ｄ，１１ｅは所定幅に形成されていて、第１溝部１１ｄは円形凹所１１ｆの周縁をわずかに越えて延びており、第２溝１１ｅは円形凹所１１ｆの周縁に延びている。
【００２１】
第２連結アーム１２は、図１〜図６に示すように、両スライドポール１３、受承プレート１４、および受承プレート１５を収容する収容部１２ａと、シートバック側の取付部１２ｂを備えているもので、収容部１２ａには支持孔１２ｃを中心とする円形凹所１２ｄが形成されている。この円形凹所１２ｄは、第１連結アーム１１の円形凹所１１ｆと同軸的に形成されていて、支持孔１１ｃ，１２ｃが互いに対向している。第２連結アーム１２の円形凹所１２ｄは、第１連結アーム１１の円形凹所１１ｆと略同径のもので、円形凹所１２ｄの周縁部には円形状に歯部が形成されている。これにより、円形凹所１２ｄの周縁部はラチェット１２ｅに構成されている。
【００２２】
各スライドポール１３は、所定幅で所定厚みのプレート状の同一形状を呈するもので、図１〜図６および図７に示すように、その先端部が円弧状の歯部１３ａに形成され、かつ、その背部が円弧状の被受承部１３ｂと円弧状の逃げ部１３ｃに形成されていて、その一側面には係合ピン１３ｄを備えている。被受承部１３ｂは逃げ部１３ｃに比較して小さい曲率半径のもので、その端面が逃げ部１３ｃ側へ拡開するテーパ状を呈している。
【００２３】
各スライドポール１３の厚みは、第１連結アーム１１の第１溝部１１ｄと第２連結アーム１２の円形凹所１２ｄ間に丁度収容されて、スライドが許容される厚みに形成され、かつ各スライドポール１３の幅は、第１連結アーム１１の第１溝部１１ｄに丁度収容されて、スライド動作が許容される幅に形成されている。また、各スライドポール１３の先端部の歯部１３ａは、第２連結アーム１２に設けたラチェット１２ｅに噛合、離脱可能に形成されている。各スライドポール１３は、第１連結アーム１１の第１溝部１１ｄにスライド可能に収容される。
【００２４】
受承プレート１４は、図２〜図６、および図８に示すように円筒体であり、その筒部１４ａの外周には、周方向に１８０度離れた部位に円弧状の突起部が形成されている。各突起部は、各スライドポール１３の被受承部１３ｂを嵌合状態で受承する受承部１４ｂに形成されている。また、筒部１４ａの内孔１４ｃにはネジが刻設されている。各受承部１４ｂは、各スライドポール１３の被受承部１３ｂに対応するテーパ状に形成されている。受承プレート１４は、後述するヒンジ軸１６上に進退可能に螺合される。
【００２５】
動作伝達プレート１５は、図１〜図６および図９に示すように、中央部から互いに反対方向へ延びるアーム部１５ａ，１５ｂからなるプレートであって、中央部には取付孔１５ｃを備えるとともに、各アーム部１５ａ，１５ｂの先端側にはカム孔１５ｄを備えている。動作伝達プレート１５は、ヒンジ軸１６上にこれと一体回転可能に組付けられている。各カム孔１５ｄは、アーム部１５ａ，１５ｂの先端側へ傾斜して延びる傾斜部と、その先端から横方向に延びる水平部を備えているもので、ヒンジ軸１６を中心とする円周上にて同一円周方向に延びている。
【００２６】
動作伝達プレート１５の各カム孔１５ｄは、各スライドポール１３の係合ピン１３ｄと一体でカム機構を構成するもので、各カム孔１５ｄに各係合ピン１３ｄを挿入することにより、動作伝達プレート１５と各スライドポール１３とが連結されている。
【００２７】
係合ピン１３ｄとカム孔１５ｄの位置関係は、受承プレート１４がその各受承部１４ｂにて各スライドポール１３を受承して各スライドポール１３をラチェット１２ｅに噛合させている状態にある場合には、図４に示すように、係合ピン１３ｄがカム孔１５ｄの水平部に位置し、かつ、受承プレート１４が各スライドポール１３の受承状態を解除して各スライドポール１３とラチェット１２ｅが非噛合状態にある場合には、図６に示すように、係合ピン１３ｄがカム孔１５ｄの傾斜部に位置するように設定されている。
【００２８】
ヒンジ軸１６は、図２〜図６および図１０に示すように、大径部および小径部を備えた軸部１６ａと、軸部１６ａの先端に一体的に設けた掛止部１６ｂとからなるもので、軸部１６ａの大径部の外周がネジ部１６ｃに形成されている。このネジ部１６ｃには受承プレート１４が進退可能に螺合される。
【００２９】
当該リクライニング装置においては、第１連結アーム１１をその第１溝部１１ｄに両スライドポール１３を収容した状態でヒンジ軸１６に挿通し、ヒンジ軸１６上には、受承プレート１４を螺合して両スライドポール１３間に位置させるとともに動作伝達プレート１５を固定し、かつ、第２連結アーム１２をヒンジ軸１６上に挿通する。この状態で、第１連結アーム１１を上側取付部材１９ａを介して第２連結アーム１２に回動可能に取付け、かつ、第２連結アーム１２を下側取付部材１９ｂを介して第１連結アーム１１に回動可能に取付ける。
【００３０】
かかる組付状態にあるヒンジ軸１６には、その先端側に支持部材１９ｃが嵌着されて、この支持部材１９ｃは図３に示すように第１連結アーム１１の外側面に固定されて、各構成部材１１〜１５のヒンジ軸１６からの抜け止めを図り、かつ、コイルバネ１７の掛止部１９ｄを形成している。コイルバネ１７は、その内端にてヒンジ軸１６の先端側の掛止部１６ｂに掛止され、かつ、その外端にて掛止部１９ｄに掛止されている。コイルバネ１７はヒンジ軸１６を付勢して、受承プレート１４および動作伝達プレート１５を図４に示す状態に位置させる。
【００３１】
この状態にある各スライドポール１３は、動作伝達プレート１５の動作によりラチェット１２ｅ側へスライド動作されてラチェット１２ｅと噛合し、かつ、受承プレート１４の各受承部１４ｂにて受承されてラチェット１２ｅとの噛合状態を保持している。ヒンジ軸１６は、操作レバー１８を回動操作することにより回転して、受承プレート１４をヒンジ軸１６上を移動させることができるとともに、動作伝達プレート１５を回動させることができ、ヒンジ軸１６を図４の図示時計方向へ回転させることにより受承プレート１４、および動作伝達プレート１５を図５に示す状態を経て図６に示す状態に動作させることができる。
【００３２】
このように構成したリクライニング装置においては、操作レバー１８の非操作時には、ヒンジ軸１６はコイルバネ１７の作用により非回転状態にあり、受承プレート１４および動作伝達プレート１５は図４に示す状態にある。これにより、各スライドポール１３は、ラチェット１２ｅ側へスライド動作されてラチェット１２ｅに噛合しているとともに、受承プレート１４の各受承部１４ｂにて受承されてラチェット１２ｅとの噛合状態を保持している。各スライドポール１３とラチェット１２ｅとの噛合状態が保持されている間は、両連結アーム１１，１２の相対回転は規制されてシートバックをシートクッションに対してロック状態としており、シートバックの前後方向の回動を規制している。
【００３３】
この状態にあるリクライニング装置において、操作レバー１８を回動操作してヒンジ軸１６を図示時計方向へ回転動作させると、受承プレート１４はヒンジ軸１６上を図示右方へ移動して図５に示す位置を経て図６に示す位置に至り、同時に、動作伝達プレート１５は図示時計方向へ回動して図５に示す位置を経て図６に示す位置に至る。この結果、受承プレート１４はその各受承部１４ｂを各スライドポール１３の逃げ部１３ｃに移行させ、各受承部１４ｂによる各スライドポール１３の受承状態を解除し、かつ、動作伝達プレート１５は各スライドポール１３をヒンジ軸１６側へ引き戻すようにスライド動作させ、各スライドポール１３はラチェット１２ｅとは離間して非噛合状態となる。各スライドポール１３とラチェット１２ｅとの非噛合状態は、操作レバー１８が操作状態にある間保持される。この間は、両連結アーム１１，１２の相対回転が許容されてシートバックのシートクッションに対するロック状態が解除され、シートバックを前後方向へ回動してその傾斜角度を調整することができる。
【００３４】
なお、操作レバー１８の操作状態を解除すれば、ヒンジ軸１６がコイルバネ１７の付勢力により回転復帰して動作伝達プレート１５を回動復帰させ、同時に受承プレート１４を移動復帰させる。この結果、動作伝達プレート１５は各スライドポール１３をラチェット１２ｅ側へスライド動作させてラチェット１２ｅに噛合させるとともに、受承プレート１４の各受承部１４ｂが各スライドポール１３の被受承部１３ｃと嵌合して各スライドポール１３を受承し、各スライドポール１３とラチェット１２ｅとの噛合状態を保持する。
【００３５】
このように、当該リクライニング装置においては、各スライドポール１３はその被受承部１３ｃにて受承プレート１４の受承部１４ｂに受承されてラチェット１２ｅとの噛合状態を保持するものであるが、被受承部１３ｃおよび受承部１４ｂは共に円弧状を呈していて、互いに嵌合した状態で各スライドポール１３が受承される。このため、この保持状態によれば、たとえリクライニング装置に負荷が作用しても、各連結アーム１１，１２および各スライドポール１３間のガタに起因する各スライドポール１３の回動動作は解消され、１箇所での押圧保持状態に比較して、各スライドポール１３とラチェット１２ｅとの噛合強度が強化され、延いては装置の小型化を図ることができる。
【００３６】
また、当該リクライニング装置において、スライドポール１３を第１連結アーム１１に所定間隔を保持して直列的に２つ配置して、これら両スライドポール１３の間に受承プレート１４を配置して両スライドポール１３を同時に受承し、かつ、動作伝達プレート１５により両スライドポール１３を同時にスライド動作させるように構成しているため、１個の受承プレート１４および動作伝達プレート１５にて２個のスライドポール１３をラチェット１２ｅへ同時に噛合させてこれを保持することができて、両連結アーム１１，１２を強固なロック状態とすることができる。
【図面の簡単な説明】
【図１】本発明の一例に係るリクライニング装置の一部切欠正面図である。
【図２】同リクライニング装置における図１の矢印２−２線方向の縦断側面図である。
【図３】同リクライニング装置における図１の矢印３−３線方向の横断平面図  である。
【図４】ヒンジ軸の非回転状態における同リクライニング装置の主要構成部を示す縦断面図（ａ）、および模式的な正面図（ｂ）である。
【図５】ヒンジ軸の回転動作途中における同リクライニング装置の主要構成部を示す縦断面図（ａ）、および模式的な正面図（ｂ）である。
【図６】ヒンジ軸の回転動作終了時における同リクライニング装置の主要構成部を示す縦断面図（ａ）、および模式的な正面図（ｂ）模式図である。
【図７】同リクライニング装置を構成するスライドポールの正面図（ａ）、および縦断側面図（ｂ）である。
【図８】同リクライニング装置を構成する受承プレートの正面図（ａ）、および縦断側面図（ｂ）である。
【図９】同リクライニング装置を構成する動作伝達プレートの正面図（ａ）、および縦断側面図（ｂ）である。
【図１０】同リクライニング装置を構成するヒンジ軸の正面図（ａ）、および側面図（ｂ）である。
【符号の説明】
１１…第１連結アーム、１１ａ…収容部、１１ｂ…取付部、１１ｃ…支持孔、１１ｄ…第１溝部、１１ｅ…第２溝部、１１ｆ…円形凹所、１２…第２連結アーム、１２ａ…収容部、１２ｂ…取付部、１２ｃ…支持孔、１２ｄ…円形凹所、１２ｅ…ラチェット、１３…スライドポール、１３ａ…歯部、１３ｂ…被受承部、１３ｃ…逃げ部、１３ｄ…係合ピン、１４…受承プレート、１４ａ…筒部、１４ｂ…受承部、１４ｃ…内孔、１５…動作伝達プレート、１５ａ，１５ｂ…アーム部、１５ｃ…取付孔、１５ｄ…カム孔、１６…ヒンジ軸、１６ａ…軸部、１６ｂ…掛止部、１６ｃ…ネジ部、１７…コイルバネ、１８…操作レバー、１９ａ…上側取付部材、１９ｂ…下側取付部材、１９ｃ…支持部材、１９ｄ…掛止部。
【図１】
0004126755.tif 000002
【図２】
0004126755.tif 000003
【図３】
0004126755.tif 000004
【図４】
0004126755.tif 000005
【図５】
0004126755.tif 000006
【図６】
0004126755.tif 000007
【図７】
0004126755.tif 000008
【図８】
0004126755.tif 000009
【図９】
0004126755.tif 000010
【図１０】
0004126755.tif 000011